(57)【特許請求の範囲】
【請求項１】
導光板と、名前を表わす貫通孔が設けられる非透光性の表札板とが備えられ、
前記導光板の背面には凹所が設けられ、この凹所内には１２Ｖの直流電源により点灯する照明体が組み込まれ、前記導光板及び表札板は、壁の外側面に対し、前記照明体から延びる電源線を化粧パイプに通して雨水などから保護した状態、又は前記導光板を接触させた状態で固定されており、
前記表札板は、その背面と導光板の表面との間に雨水や結露水などが侵入しても外部にスムーズに排出可能とする微小な隙間を存するように、前記導光板の表面に対してスペーサとしての役割を果たすワッシャを介して所定間隔開けて配置されているとともに、
前記表札板及び前記導光板の周縁は、前記隙間をそのまま真直ぐ外方へ開口させるように前記外部に露呈していることを特徴とする照明付き表札。
【請求項２】
前記導光板の背面がサンドブラストにより粗面に形成されていることを特徴とする請求項１に記載の照明付き表札。
【請求項３】
前記導光板の背面に反射部材を設けたことを特徴とする請求項１または２に記載の照明付き表札。
【発明の詳細な説明】
【技術分野】
【０００１】
本発明は、夜間においても表札文字の視認性が良好な照明付き表札に関するものである。
【背景技術】
【０００２】
従来の照明を備えた表札は、門柱の上端部に門柱灯を設けると共に、この門柱灯の下方に表札を設け、前述の門柱灯により表札の表面を照らすようにしているのが一般的であるが、以上の表札では、門柱灯により表札の表面を照らすものであることから、門柱灯と表札との位置如何によっては、表札に記載されている文字が見難い場合があるし、また門柱灯の光が人の目に入るなどして、表札の文字が同様に見難いこともある。
【０００３】
以上の不具合に対しては、例えば表札を導光板から形成して、この導光板の表面に多数のドットから構成される文字を刻設すると共に、側面に光源を配設し、光源の点灯により表札自体を照明して、文字を浮きあがらせるようにしたものも提案されている。（特許文献１参照）
しかしながら以上の表札では、文字部分だけでなく導光板全体も光ることから  、離れたところからではどうしても文字が見え難くなる不具合がある。
【特許文献１】特開２００２−３２８６３３号
【発明の開示】
【発明が解決しようとする課題】
【０００４】
本発明は以上の実情に鑑みて開発したものであって、目的とするところは、夜間でも文字部分の視認性に優れた照明付き表札を提供することにある。
【課題を解決するための手段】
【０００５】
前記した目的を達成するために、請求項１に記載の発明は、導光板と、名前を表わす貫通孔が設けられる非透光性の表札板とが備えられ、前記導光板の背面には凹所が設けられ、この凹所内には１２Ｖの直流電源により点灯する照明体が組み込まれている。更に、前記導光板及び表札板は、壁の外側面に対し、前記照明体から延びる電源線を化粧パイプに通して雨水などから保護した状態、又は前記導光板を接触させた状態で固定されている。そして、前記表札板は、その背面と導光板の表面との間に雨水や結露水などが侵入しても外部にスムーズに排出可能とする微小な隙間を存するように、前記導光板の表面に対してスペーサとしての役割を果たすワッシャを介して所定間隔開けて配置されているとともに、前記表札板及び前記導光板の周縁は、前記隙間をそのまま真直ぐ外方へ開口させるように前記外部に露呈していることを特徴とする。
【０００６】
請求項２に記載の発明は、請求項１に記載の導光板の背面がサンドブラストにより粗面に形成されていることを特徴とする。
【０００７】
請求項３に記載の発明は、請求項１または２に記載の表札において、導光板の背面に反射部材を設けたことを特徴とする。
【発明の効果】
【０００８】
請求項１に記載の発明によれば、照明具の点灯に伴い、導光板が面発光して、光が表札板に開設した貫通孔を通過して表札板の前方に照射され、表札板の表面に所定の名前が明瞭に表示されるし、また導光板の四方側縁からも光が漏れ出るので、表札板の周囲もほのかに照明され、表札が浮き上がって見え、表札の存在が明瞭となる。
【０００９】
しかも表札板の背面と導光板の表面との間に所定の隙間が設けられているので、例えば表札板の背面と導光板の表面との間に雨水や結露水などが侵入しても、外部にスムーズに排出することが出来る。
【００１０】
請求項２に記載の発明によれば、請求項１に記載の発明の効果に加え、導光板の背面を粗面とするのにその粗面度合いを簡単に調整することが出来、結果として、光の反射具合の調整が容易に行なえる。
【００１１】
請求項３に記載の発明によれば、請求項１または２に記載の発明の効果に加え、導光板の背面への光反射部材の組み付けに伴い、導光板の面発光が促進されて、名前がより一層明瞭に表示されることとなる。
【発明を実施するための最良の形態】
【００１２】
以下、本発明の実施形態について図面を参照しながら説明する。
【００１３】
図１は本発明にかかる照明付き表札の一実施形態を示す正面図、図２は同、照明付き表札を壁面に取り付けた状態を示す側面図、図３及び図４は壁面に取り付けた照明付き表札の断面図である。
【００１４】
図において符号１で示す照明付き表札は、基本的には、導光板２と、この導光板２の表面側に配置される表札板３と、導光板２に光を照射するための照明具４とから構成されている。
【００１５】
導光板２は、正面から見て一辺が２００ミリの正方形に形成されて、厚さが１０ミリのアクリル樹脂板から成り、光が導光板２の全面にほぼ均一に行くように、換言すれば面発光させるべく、その背面がサンドブラスト処理により粗面２１に形成されている。
【００１６】
またこの導光板２の背面の下端部には、導光板２の下端縁に沿って平行に延びる凹所２２が設けられ、この凹所２２内に照明具４が組み込まれている。
【００１７】
また導光板２の四隅には、図５に示すように、取り付け用孔２３が開けられている。
【００１８】
表札板３は、厚さが１．５ミリのアルミニウム板が使用され、導光板２の表面全面を覆うために導光板２と同一の大きさの一辺が２００ミリの正方形に形成されている。
【００１９】
この表札板３の表面は適宜塗装が施されると共に、この表札板３には、注文に応じて、図１にも示すように、名前を表わす第１貫通孔３１と、模様を表わす第２貫通孔３２がそれぞれ適宜開設され、またこの表札板３の四隅には、図５に示すように、導光板２の取り付け用孔２３に連通可能な取り付け用孔３３が予め開設されている。
【００２０】
一方、導光板２の凹所２２内に組み込まれた照明具４は、複数個（実施形態では８個）のＬＥＤ４１を制御基板４２に組み付けてなり、１２Ｖの直流電源により点灯するタイプのものが用いられている。
【００２１】
以上の照明具４において、8個のＬＥＤを例えば４個の青色ＬＥＤと４個の白色ＬＥＤの２グループに分けて左右に配置することで、模様部分と名前部分を照らされる光の色を異ならせることが出来、より一層、表札１の意匠感を高めることが出来る。
【００２２】
以上の構成からなる照明付き表札１は、表札板３が導光板２の表面に対して所定間隔開けて配置されるように、表札板３の背面と導光板２の表面との間にスペーサーとしての役割を果たす樹脂製のワッシャ５が介装され、これにより、表札板３の背面と導光板２の表面との間に１ミリ程度の隙間Ｓが設けられている。
【００２３】
即ち、表札板３の背面が導光板２の表面に接触していると、表札板３の背面と導光板２の表面との間に例えば雨水や結露水が侵入した場合、この水が表札板３と導光板２との間から抜け出難くなって、錆びの発生や照明不良を招く虞があることから、本発明にかかる表札１では、前記したように、表札板３の背面と導光板２の表面との間に所定の隙間Ｓを設けて、表札板３の背面と導光板２の表面との間に雨水や結露水などが侵入しても、外部にスムーズに排出されるようにしている。
【００２４】
そして以上の照明付き表札１では、壁面Ｗなどへの固定部材としての螺子体６が、表札板３の取り付け用孔２３からワッシャ５更には導光板２の取り付け用孔２３に順次挿通されて、導光板２、ワッシャ４、表札板３がサブアッセンブリーされた状態にされている。
【００２５】
そして以上のようにサブアッセンブリーされている照明付き表札２を門柱などの壁Ｗの外側面に取り付けるには、導光板２の背面に突出している螺子体６の突出部位に、円筒状に形成されたステンレス製の化粧パイプ７を挿通するとともに、照明具４の制御基板４２から延びる電源線４３にも円筒状に形成されたステンレス製の化粧パイプ７を通して、電源線４３を壁Ｗに設けた挿通孔Ｈに通した上で、螺子体６を壁Ｗに螺締すればよいのであって、これにより、導光板2及び表札板２が、化粧パイプ７を介して壁Ｗの外側面から所定間隔離れた位置で固定されるのであり、電源線４３も化粧パイプ７内に配設されて外部に露呈することがないし、また雨水などからも電源線４３を保護することが出来る。
【００２６】
そして以上の照明付き表札１は、照明具４の点灯に伴い、導光板２が面発光して、光が表札板３に開設した第１貫通孔３１及び第２貫通孔３２を通過して表札板３の前方に照射され、表札板３の表面に所定の名前及び模様が明瞭に表示されるし、また導光板２の四方側縁からも光が外方に漏れ出るので、表札板３の周囲もほのかに照明され、結果として表札１が浮き上がって見える。
【００２７】
以上の実施形態において、図６に示すように、導光板２の背面に、例えばステンレス板からなる光反射部材８を更に組み付けてもよく、光反射部材８の組み付けにより、導光板８の面発光性能がよくなり、名前や模様がより一層明瞭に表示されることとなる。尚、ステンレス板に替えて軟質のシート状光反射部材８を導光板２の背面に貼り付けてもよい。
【００２８】
以上の実施形態では、導光板２を壁Ｗの外側面に対して所定間隔を開けて固定するようにしたが、導光板２を壁Ｗの外壁面に接触させた状態で固定するようにしてもよい。
【００２９】
また以上の実施形態において、図６に示すように、導光板２の背面に、例えば、ステンレス板からなる反射部材８を組み付けてもよい。
【００３０】
また以上の実施形態では、照明具４として直流１２Ｖの電源により点灯するタイプのものを用いたが、表札板１の照明具４に交流１００Ｖをダイレクトに接続するようにしてもよく、この場合には、図７に示すように、導光板２の背面に組み付けるケース９にダイオードブリッジ９１等を装填して、制御板４２から延びる電源線４３をこのダイオードブリッジ９１等を介して化粧パイプ７から壁Ｗに引き出すようにするのが好ましい。
【００３１】
この場合、反射ムラを抑制するために、導光板２の背面に軟質のシート状光反射部材８を貼り付けた上で、この反射部材８の背面にダイオードブリッジ９１などを装填したケース９を組み付けるのが好ましい。
【図面の簡単な説明】
【００３２】
【図１】本発明にかかる表札の一実施形態を示す正面図。
【図２】同、側面図。
【図３】図１におけるＡ−Ａ線断面図。
【図４】図１におけるＢ−Ｂ線断面図。
【図５】同要部の拡大断面図。
【図６】本発明にかかる表札の別の実施形態を示す要部の断面図。
【図７】本発明にかかる表札の別の実施形態を示す要部の断面図。
【符号の説明】
【００３３】
１      表札
２      導光板
２１    粗面
３      表札板
３１    第１貫通孔
３２    第２貫通孔
４      照明具
８      光反射部材
Ｓ      隙間
Ｗ      壁
【図１】
0005000404.tif 000002
【図２】
0005000404.tif 000003
【図３】
0005000404.tif 000004
【図４】
0005000404.tif 000005
【図５】
0005000404.tif 000006
【図６】
0005000404.tif 000007
【図７】
0005000404.tif 000008